(57)【要約】【課題】  ２枚の支持部材で装飾部材を挟持する構成において、当該装飾部材として植物体を用いた場合であっても、支持部材に曇りが生じるのを防止し得、更に両面を視認可能に配置することができる装飾具を提供する。【解決手段】  第１支持部材１１と第２支持部材１２との間に植物体の装飾部材２を挟持してなり、装飾部材２の縁部と第１支持部材１１及び第２支持部材１２の周縁部とが重畳する部分に、当該装飾部材２、第１支持部材１１及び第２支持部材１２を固定する固定部３（，３）が設けてあり、第１支持部材１１及び第２支持部材１２の周縁部であって前記固定部３（，３）が設けられた以外の部分は、第１支持部材１１と第２支持部材１２との間隙６と外部とが連通する連通部７，７，…になしてある。【選択図】  図１
0003169568.tif 000002
【実用新案登録請求の範囲】
【請求項１】
それぞれ透光性を有し、互いに対向配置された第１支持部材と第２支持部材との間に１又は複数の装飾部材を挟持してなる装飾具において、
前記装飾部材の少なくとも１つは植物体であり、
前記装飾部材の少なくとも一縁部と前記第１支持部材及び第２支持部材の周縁部とが重畳する部分に、当該装飾部材、第１支持部材及び第２支持部材を固定する固定部が設けてあり、
第１支持部材及び第２支持部材の周縁部であって前記固定部が設けられた以外の部分は、第１支持部材と第２支持部材との間隙と外部とが連通する連通部になしてある
ことを特徴とする装飾具。
【請求項２】
前記第１支持部材及び第２支持部材の周囲には帯状のテープが当該第１支持部材と第２支持部材との間隙を塞止するように貼着してあり、該テープは前記間隙と外部との間で通気させ得るようになしてある請求項１記載の装飾具。
【請求項３】
前記テープに該テープを貫通する複数の貫通孔がテープの長手方向に適宜の間隔で設けてある請求項２記載の装飾具。
【請求項４】
前記第１支持部材及び第２支持部材の周縁部であって、前記装飾部材が重畳していない部分の１又は複数位置に、第１支持部材及び第２支持部材を固定する他の固定部が設けてある請求項１から３のいずれかに記載の装飾具。
【請求項５】
前記装飾部材には浸透性を有する木材用の保護剤が塗布してある請求項１から４のいずれかに記載の装飾具。
【考案の詳細な説明】
【技術分野】
【０００１】
本考案は、建屋の壁、天窓若しくは扉又は家具等に配設され、或いはインテリアとして用いられる装飾具に関する。
【背景技術】
【０００２】
例えば、建屋の窓を装飾する装飾具として従来よりステンドグラスが知られている。ステンドグラスは、着色した複数のガラス小片の間にエ字形の断面を持つ鉛製のリムを介在させ、各ガラス小片を相互に結合することによって、絵や模様を表したものであるが、外力に対する強度が高くない上に、ガラス小片でしか絵模様を表すことができなかった。
【０００３】
そのため、後記する特許文献１には次のような装飾具が開示されている。
すなわち、互いに略同じ大きさの支持ガラス板と外面ガラスとを対向配置し、前記支持ガラス板の内面であって周縁部を除く適宜の位置にステンドグラスを含む平面様の装飾部材を貼り付ける。そして、フレキシブルな金属帯を環状に成形してなり、全内周面に弾性ゴム層を設けてなるスペーサ部材を支持ガラス板と外面ガラスとの間であって、該支持ガラス板及び外面ガラスの周縁部に介装させる。前記スペーサの弾性ゴム層の両側面には予め接着剤が塗布してあり、支持ガラス板及び外面ガラスをそれぞれ前記弾性ゴム層の対応する側面に当接させた状態で加熱することによって、支持ガラス板と弾性ゴム層と、及び外面ガラスと弾性ゴム層とを互いに接着させて装飾具を得ていた。
【０００４】
このように、支持ガラス板と外面ガラスとの間に平面様の装飾部材を配置した三層構造になっているため、外力に対する強度が高い一方、支持ガラス板の内面に平面様の装飾部材を貼り付けるため、ガラス小片以外の種々の装飾部材を用いることができる。
【先行技術文献】
【特許文献】
【０００５】
【特許文献１】実用新案登録第３１５４９７７号公報
【考案の概要】
【考案が解決しようとする課題】
【０００６】
しかしながら、このような従来の装飾具にあっては、フレキシブルな金属帯を環状に成形してなり、全内周面に弾性ゴム層を設けてなるスペーサ部材に支持ガラス板及び外面ガラスをそれぞれ接着させてあり、支持ガラス板及び外面ガラス並びにスペーサ部材で囲まれた領域は密封状態となるため、装飾部材として水分含量が比較的高い木材といった植物体を用いた場合、支持ガラス板及び外面ガラスの内面がそれぞれ経時的に曇ってしまうという問題があった。また、支持ガラス板の内面であって周縁部を除く適宜の位置に装飾部材を貼り付けるため、支持ガラス板側から視認した場合に装飾部材の貼着痕が現れる場合があるため、装飾具の両面を視認できるように配設することができなかった。
【０００７】
本考案はかかる事情に鑑みてなされたものであって、２枚の支持部材で装飾部材を挟持する構成において、当該装飾部材として植物体を用いた場合であっても、支持部材に曇りが生じるのを防止し得、更に両面を視認可能に配置することができる装飾具を提供する。
【課題を解決するための手段】
【０００８】
（１）本考案に係る装飾具は、それぞれ透光性を有し、互いに対向配置された第１支持部材と第２支持部材との間に１又は複数の装飾部材を挟持してなる装飾具において、前記装飾部材の少なくとも１つは植物体であり、前記装飾部材の少なくとも一縁部と前記第１支持部材及び第２支持部材の周縁部とが重畳する部分に、当該装飾部材、第１支持部材及び第２支持部材を固定する固定部が設けてあり、第１支持部材及び第２支持部材の周縁部であって前記固定部が設けられた以外の部分は、第１支持部材と第２支持部材との間隙と外部とが連通する連通部になしてあることを特徴とする。
【０００９】
本考案の装飾具にあっては、それぞれ透光性を有し、互いに対向配置された第１支持部材と第２支持部材との間に１又は複数の装飾部材を挟持する場合、装飾部材の少なくとも１つは植物体になしてある。そして、装飾部材の少なくとも一縁部と前記第１支持部材及び第２支持部材の周縁部とが重畳する部分に、例えば接着剤又はコーキング剤等の固定剤を充填することによって当該装飾部材、第１支持部材及び第２支持部材を固定する固定部が設けてある一方、第１支持部材及び第２支持部材の周縁部であって前記固定部が設けられた以外の部分は、第１支持部材と第２支持部材との間隙と外部とが連通する連通部になしてある。
【００１０】
このように、第１支持部材と第２支持部材との間隙が連通部を介して装飾具の外部と連通させてあるため、装飾部材として木材といった植物体を第１支持部材と第２支持部材との間隙に配置した場合であっても、当該装飾部材から生じる水蒸気は連通部を介して外部へ発散される。従って、第１支持部材及び第２支持部材に曇りが生じることが防止される。
【００１１】
一方、前述した如く固定部は、第１支持部材及び第２支持部材の周縁部の位置に形成してあるため、当該固定部は装飾具が取り付けられる枠部材の溝内に嵌入して、外から視認することができないようになっている。従って、装飾具を両面から視認可能に配設した場合であっても、装飾具の内部に配置した装飾部材を第１支持部材及び第２支持部材に貼着させた貼着痕を視認することができず、装飾具の装飾性が損なわれない。
【００１２】
（２）また、本考案に係る装飾具は、前記第１支持部材及び第２支持部材の周囲には帯状のテープが当該第１支持部材と第２支持部材との間隙を塞止するように貼着してあり、該テープは前記間隙と外部との間で通気させ得るようになしてあることを特徴とする。
【００１３】
本考案の装飾具にあっては、第１支持部材及び第２支持部材の周囲には帯状のテープが第１支持部材と第２支持部材との間隙を塞止するように貼着してある。そして、このテープは、例えば通気性材料にて構成することによって、第１支持部材と第２支持部材との間隙と装飾具の外部との間で通気させ得るようになしてある。
【００１４】
かかるテープによって第１支持部材及び第２支持部材を相互に固定することができ、これによって装飾具を安定して取り扱うことができる。また、第１支持部材及び第２支持部材の周縁をテープで被覆することによって、第１支持部材及び第２支持部材の周縁角部に手指が直接接触することを防止して安全性を確保することができる。
【００１５】
一方、かかるテープは、第１支持部材と第２支持部材との間隙と装飾具の外部との間で通気させ得るようになしてあるため、前述した如く水蒸気が連通部を介して外部へ発散されることを妨げることはなく、従って第１支持部材及び第２支持部材に曇りが生じることが防止される。
【００１６】
（３）更に、本考案に係る装飾具は、前記テープに該テープを貫通する複数の貫通孔がテープの長手方向に適宜の間隔で設けてあることを特徴とする。
【００１７】
本考案の装飾具にあっては、テープに該テープを貫通する複数の貫通孔がテープの長手方向に適宜の間隔で設けてあるため、前述した如く装飾部材から生じる水蒸気は連通部及び各貫通孔を介して装飾具の外部へ発散されて、第１支持部材及び第２支持部材に曇りが生じることが防止される。
【００１８】
一方、かかるテープは、例えばビニールテープに複数の貫通孔を開設することによって構成することができるため、テープの製造コストを可及的に廉価になすことができる。
【００１９】
（４）一方、本考案に係る装飾具は、前記第１支持部材及び第２支持部材の周縁部であって、前記装飾部材が重畳していない部分の１又は複数位置に、第１支持部材及び第２支持部材を固定する他の固定部が設けてあることを特徴とする。
【００２０】
本考案の装飾具にあっては、第１支持部材及び第２支持部材の周縁部であって、前記装飾部材が重畳していない部分の１又は複数位置、例えば多角形状の第１支持部材及び第２支持部材の頂点の位置に、第１支持部材及び第２支持部材を固定する他の固定部が設けてあり、これによって第１支持部材及び第２支持部材の周縁部の外力に対する強度を担保してある。
【００２１】
（５）また、本考案に係る装飾具は、前記装飾部材には浸透性を有する木材用の保護剤が塗布してあることを特徴とする。
【００２２】
本考案の装飾具にあっては、装飾部材には浸透性を有する木材用の保護剤が塗布してあるため、装飾部材を取り扱う際に装飾部材の表面に指紋等の汚れが付着することが防止され、取り扱い作業を容易に行うことができるのに加え、装飾部材の表面の質感を保ちつつ木目を鮮やかにすることができ、更に装飾部材の耐久性を向上させることができる。また、保護剤は浸透性を有するため、該保護剤が塗布された装飾部材から保護剤が染み出て第１支持部材又は第２支持部材の内面を汚すといった虞がない。
【図面の簡単な説明】
【００２３】
【図１】本考案に係る装飾具の一例を模式的に示す一部切欠き斜視図である。
【図２】図１に示した装飾具の使用例を説明する説明図である。
【図３】実施の形態２に係る装飾具を示す模式的斜視図である。
【図４】他の装飾具を示す模式的斜視図である。
【考案を実施するための形態】
【００２４】
（実施の形態１）
図１は本考案に係る装飾具の一例を模式的に示す一部切欠き斜視図であり、後述するテープ１５の一部を切欠いてある。透明な板状の第１支持部材１１及び第２支持部材１２は略同じ適宜の形状及び寸法になしてあり、第１支持部材１１及び第２支持部材１２は所要距離を隔てて互いに平行に対向配置してある。なお、第１支持部材１１及び第２支持部材１２は、外力に対して所要の強度を有するものであれば種々の材料を用いることができるが、強化プラスチック又はアクリル樹脂等を用いた場合は破損時の安全性も高いため好適である。
【００２５】
第１支持部材１１及び第２支持部材１２の間隙６の適宜位置には、適宜の厚さになした装飾部材２が挟持されている。装飾部材２はその周縁部が第１支持部材１１及び第２支持部材１２から突出しない寸法になしてあり、装飾部材２はその周縁部の少なくとも一部が第１支持部材１１及び第２支持部材１２の周縁部に位置するように配されている。この装飾部材２の周縁部と第１支持部材１１及び第２支持部材１２の周縁部とが重畳する部分には固定剤を充填してなる固定部３（，３）が形成してあり、これによって装飾部材２、第１支持部材１１及び第２支持部材１２を相互に固定して、第１支持部材１１及び第２支持部材１２の間で装飾部材２にずれが生じることを防止してある。
【００２６】
なお、前述した固定剤としては接着剤を用いることもできるが、コーキング剤を用いた場合、固定作業を行った後であっても固定部３を比較的容易に除去することができるため、装飾部材２の位置変更を容易に実施することができ好適である。
【００２７】
一方、第１支持部材１１及び第２支持部材１２の周縁部であって、装飾部材２が重畳していない部分の１又は複数位置にも前記固定剤を充填して固定部４，４，…が形成してあり、これによって第１支持部材１１及び第２支持部材１２の周縁部に固定部３（，３）、固定部４，４，…と固定部が介在しない連通部７，７，…とが形成されるとともに、第１支持部材１１及び第２支持部材１２の周縁部の外力に対する強度を担保してある。図１に示した装飾具１にあっては、四角形の第１支持部材１１及び第２支持部材１２の一角部に装飾部材２の周縁が重畳しているので、第１支持部材１１及び第２支持部材１２の他の全ての角部にそれぞれ固定部４，４，４が設けてある。
【００２８】
図１に示した装飾部材２は適宜に乾燥させた木材等を２ｍｍを超える所要厚さにスライスして形成してある。このとき、装飾部材２の厚さは当該装飾具１が配設される壁、扉等の配設対象の厚さ寸法、及び第１支持部材１１及び第２支持部材１２の厚さ寸法に基づいて定める。
【００２９】
また、木材等としては、屋久杉、黒柿、檜、楢、楠、桜、欅、キハダ、タビ、センダン、タモ、紫檀、黒檀、ニガキ、水目、銀杏、南天、梅等々を用いることができるが、木目、形状及び／又は色調がユニークな銘木を用いるのが好適である。ところで、例えばセンダン及びタモには希望、南天には災難除、銀杏には健康、梅には愛及び幸福、ニガキには仲間、黒柿には正義というように、特定の木材等には特定の樹木言葉があることが知られており、かかる樹木言葉を有する銘木を使用した場合、高い装飾性に加えて樹木言葉でも使用者に満足感や喜び等を与えることができる。
【００３０】
ここで、装飾部材２として２ｍｍを超える厚さの板材を用いる場合、少なくとも当該装飾部材２の両面に浸透性を有する木材用の保護剤を塗布しておく。これによって、装飾部材２を取り扱う際に当該装飾部材２の表面に指紋等の汚れが付着することが防止されるため、取り扱い作業を容易に行うことができるのに加え、装飾部材２の表面の質感を保ちつつ木目を鮮やかにすることができ、更に装飾部材２の耐久性を向上させることができる。かかる保護剤としては浸透性を有する木材用のものであれば種々用いることができるが、天然系の保護剤、例えば「自然塗料いろは」（アールジェイ株式会社製）が好適である。本保護材は桐油、亜麻仁油、蜜蝋、松脂樹脂、イソパラフィン及び無鉛乾燥剤で構成されているため、人畜無害であり、アトピーといった疾病を有する人に対しても安全性が高い。一方、本保護剤は優れた浸透性を有するため、該保護剤が塗布された装飾部材２から保護剤が染み出て第１支持部材１１又は第２支持部材１２の内面を汚すといった虞がない。なお、「いろは」はアールジェイ株式会社の登録商標である。
【００３１】
更に、第１支持部材１１及び第２支持部材１２の周囲には粘着性を有する帯状のテープ１５が第１支持部材１１と第２支持部材１２との間隙６を覆うように貼着してあり、該テープ１５によって第１支持部材１１及び第２支持部材１２を相互に固定するとともに、第１支持部材１１及び第２支持部材１２の周縁を被覆することによって第１支持部材１１及び第２支持部材１２の縁に手指が直接接触することを防止して安全性を確保している。
【００３２】
また、このように第１支持部材１１及び第２支持部材１２の周囲にテープ１５を貼着することによって固定部３（，３）及び固定部４，４，…を被覆して、当該固定部３（，３）及び固定部４，４，…が外部から視認できなくしてある。
【００３３】
テープ１５の幅方向の略中央位置には複数の貫通孔１６，１６，…が該テープ１５の長手方向へ適宜の間隔で設けてあり、第１支持部材１１と第２支持部材１２との間隙６は、前述した連通部７，７，…及び貫通孔１６，１６，…を介して外部と連通させてある。
【００３４】
なお、本実施の形態ではテープ１５に複数の貫通孔１６，１６，…を設けた場合について説明したが、本考案はこれに限らず、不織布というように通気性を有する素材でその一部又は全部を構成してなるテープを用いることもできる。
【００３５】
一方、ビニールテープのように通気性を有さず、更に貫通孔１６，１６，…も開設していないテープも用いることができる。この場合、後述するように枠部材３５（図２参照）に装飾具１を嵌合させるに先立って、当該テープを除去しておく。但し、貫通孔１６，１６，…を開設したテープ１５又は通気性を有する素材のテープを用いた場合、当該テープの除去作業が不要であるため好適である。
【００３６】
図２は図１に示した装飾具１の使用例を説明する説明図である。
図２に示したように、扉３１の適宜位置には開口３３が開設してあり、該開口３３の周囲には所要深さの溝３２を設けてなる環状の枠部材３５が取り付けてある。そして、この枠部材３５の溝３２内に装飾具１が適宜のガタを伴って内嵌固定してあり、前述したテープ１５（図１参照）が枠部材３５から殆どはみ出さないようにしてある。
【００３７】
枠部材３５と装飾具１との接合部は解放状態になしておき、パテ又はパッキンといった塞止材は施さないようにしてあり、これによって第１支持部材１１と第２支持部材１２との間隙６が前述した連通部７，７，…及び貫通孔１６，１６，…（いずれも図１参照）、並びに枠部材３５の溝３２と装飾具１とのガタを介して扉３１の外部と連通させてある。
【００３８】
このような装飾具１にあっては、第１支持部材１１と第２支持部材１２との間隙６が前述した連通部７，７，…及び貫通孔１６，１６，…、並びに枠部材３５の溝３２と装飾具１とのガタを介して扉３１の外部と連通させてあるため、装飾部材２として木材といった植物体を第１支持部材１１と第２支持部材１２との間隙６に配置した場合であっても、当該装飾部材２から生じる水蒸気は連通部７，７，…及び貫通孔１６，１６，…、並びに枠部材３５の溝３２と装飾具１とのガタを介して扉３１の外部へ発散される。従って、第１支持部材１１及び第２支持部材１２に曇りが生じることが防止される。
【００３９】
一方、前述した如く装飾具１に設けられた各固定部３（，３）及び固定部４，４，…は、第１支持部材１１及び第２支持部材１２（いずれも図１参照）の周縁部の位置に形成してあるため、各固定部３（，３）及び固定部４，４，…は当該装飾具１が取り付けられた枠部材３５の溝３２内に嵌入して、外から視認することができないようになっている。従って、図２に示したように本装飾具１を両面から視認可能に配設した場合であっても、装飾具１の内部に配置した装飾部材２を第１支持部材１１及び第２支持部材１２に貼着させた貼着痕を視認することができず、装飾具１の装飾性が損なわれない。
【００４０】
また、前述したように第１支持部材１１及び第２支持部材１２の周縁部であって、装飾部材２が重畳していない部分の１又は複数位置にも固定部４，４，…が形成してあり、これによって第１支持部材１１及び第２支持部材１２の周縁部の外力に対する強度を担保してあるため、装飾具１を枠部材３５に嵌め込む作業を安全に実施することができる。
【００４１】
ところで、前述した第１支持部材１１及び第２支持部材１２は透明な材料にて構成してあるが、第１支持部材１１及び第２支持部材１２のいずれか一方又は両方は、例えば磨りガラスというように透光性を有するが透明度が低い材料にて構成してもよい。第１支持部材１１及び第２支持部材１２のいずれか一方を当該材料にて構成した場合は、装飾具１の一方側から他方側を視認することが妨げられるため、目隠しとして使用することができる。従って、かかる装飾具はクローゼット、トイレ等、外側から内側を目視できないよう使用することもできるし、欄間等、内側から外側を目視できないように使用することもできる。
【００４２】
また、第１支持部材１１及び第２支持部材１２の両方を当該材料にて構成した場合は、第１支持部材１１及び第２支持部材１２の間に挟持される装飾部材２の陰影を表すことができる。
【００４３】
更に、装飾部材２に応じて第１支持部材１１及び第２支持部材１２のいずれか一方又は両方は有色又は彩色した材料にて構成してもよい。
【００４４】
一方、本実施の形態では１つの装飾部材２を用いた場合について説明したが、本考案はこれに限らず、複数の装飾部材を用いてもよい。なお、複数の装飾部材を用いた場合、いずれかの装飾部材を合成樹脂等、非植物体の材料で構成してもよいことは言うまでもない。
【００４５】
（実施の形態２）
図３は実施の形態２に係る装飾具１Ａを示す模式的斜視図であり、装飾部材２ａとして木材を２ｍｍ以下の厚さになした薄板材を用いた場合について示している。なお、図中、図１に示した部分に対応する部分には同じ番号を付してその説明を省略する。
【００４６】
前同様、第１支持部材１１及び第２支持部材１２の間隙６の適宜位置に装飾部材２ａが挟持されており、装飾部材２ａの周縁部と第１支持部材１１及び第２支持部材１２の周縁部とが重畳する部分に固定剤を充填してなる固定部３，３を形成することによって、第１支持部材１１及び第２支持部材１２の周縁部に固定部３，３と該固定部３，３が介在しない連通部７，７，…とが形成してある。また、第１支持部材１１及び第２支持部材１２の周囲には通気性を有するテープ１５ａが第１支持部材１１と第２支持部材１２との間隙６を覆うように貼着してあり、第１支持部材１１と第２支持部材１２との間隙６は連通部７，７，…及びテープ１５ａを介して装飾具１Ａの外部と連通させてある。
【００４７】
なお、前述した如く装飾部材２ａは薄いため、前述した如き強度を担保するための他の固定部４，４，…（図１参照）は設けなくてもよい。
【００４８】
このような装飾具１Ａにあっては、前同様、第１支持部材１１と第２支持部材１２との間隙６が前述した連通部７，７，…及び通気性を有するテープ１５ａを介して外部と連通させてあるため、装飾部材２ａとして薄板材といった植物体を第１支持部材１１と第２支持部材１２との間隙６に配置した場合であっても、当該装飾部材２ａから生じる水蒸気は装飾具１Ａの外部へ発散される。従って、第１支持部材１１及び第２支持部材１２に曇りが生じることが防止される。
【００４９】
一方、前述した如く装飾具１Ａに設けられた両固定部３，３は、第１支持部材１１及び第２支持部材１２の周縁部の位置に形成してあるため、固定部３，３は当該装飾具１Ａが取り付けられる枠部材の溝内に嵌入して、外から視認することができない。従って、本装飾具１Ａを両面から視認可能に配設した場合であっても、装飾具１Ａの内部に配置した装飾部材２ａを第１支持部材１１及び第２支持部材１２に貼着させた貼着痕を視認することができず、装飾具１Ａの装飾性が損なわれない。
【００５０】
一方、前述した如く装飾部材２ａが薄いため透光性を有し、これによって装飾具１Ａは更に優れた装飾性を奏する。
【００５１】
なお、薄板材にて構成した装飾部材２ａにあってはその強度が低いため、前述した保護剤の塗布作業中に装飾部材２ａが破損する虞がある。従って、装飾部材２ａに保護剤を塗布しない場合もあるが、保護剤の塗布の有無によって装飾部材２ａの透光性に影響が及ぼされることはない。
【００５２】
本実施の形態にあっては、装飾部材２ａとして木材を２ｍｍ以下の厚さになした薄板材を用いた場合について説明したが、本考案はこれに限らず、図４に示した装飾具１Ｂの如く、装飾部材２ｂとして押し花というように乾燥させた草花、又は乾燥させた草花及び前記薄板材を組み合わせて用いてもよい。なお、両者の組み合わせには、両者を重ね合わせることも含まれる。
【００５３】
なお、各実施の形態では、板状の第１支持部材１１及び第２支持部材１２を用いた場合について説明したが、本考案はこれに限らず、第１支持部材１１及び第２支持部材１２は適宜の形状になしてもよいことはいうまでもない。例えば、第１支持部材１１及び第２支持部材１２の表面を凹又は凸に成形してもよいし、第１支持部材１１及び第２支持部材１２を中空な殻状部材で構成してもよい。
【００５４】
また、かかる装飾具１、１Ａを用いてテーブル又はパーティション等の家具を構成してもよいし、装飾具１、１Ａを単独で、又は他の部材と組み合わせてインテリアとして用いてもよいことはいうまでもない。
【符号の説明】
【００５５】
１    装飾具
１Ａ  装飾具
１Ｂ  装飾具
２    装飾部材
２ａ  装飾部材
２ｂ  装飾部材
３    固定部
４    固定部
６    間隙
７    連通部
１５    テープ
１５ａ  テープ
１６    貫通孔
３１    扉
３２    溝
３５    枠部材
【図１】
0003169568.tif 000003
【図２】
0003169568.tif 000004
【図３】
0003169568.tif 000005
【図４】
0003169568.tif 000006